(57)【要約】【課題】  チルト方向の変位を排除又は低減し、レンズ支持筒部を、常に光軸方向へ平行移動（変位）させることにより、光学上のコントロールを高精度に行うとともに、大幅なコストダウンを図り、大型化する不具合を回避する。【解決手段】  調整用リング部４に、この調整用リング部４の内周面における雌ネジ部６ｗに内端が開口し、かつ調整用リング部４の径方向Ｆｄに沿って形成した貫通孔部７を有し、この貫通孔部７に、レンズ支持筒部５の外周面における雄ネジ部６ｍに当接する滑り部材８，この滑り部材８をレンズ支持筒部５の内方向に付勢する圧縮弾性部材９，及び貫通孔部７に固定して圧縮弾性部材９の外端を規制する閉塞部材１０を収容したガタ防止機構部Ｐを設ける。【選択図】  図１
2019128471.tif 000002
【特許請求の範囲】
【請求項１】
レンズ鏡筒の固定筒に支持され、かつ周方向へ回動変位可能な調整用リング部と、周方向への回動変位が規制され、かつ光軸方向へ進退変位可能なレンズを支持するレンズ支持筒部と、前記調整用リング部の内周面に形成した雌ネジ部，及び前記レンズ支持筒部の外周面に形成し、かつ前記雌ネジ部に螺合する雄ネジ部からなるヘリコイドネジ機構部とを少なくとも有してなるレンズ装置の調整機構であって、前記調整用リング部に、この調整用リング部の内周面における雌ネジ部に内端が開口し、かつ前記調整用リング部の径方向に沿って形成した貫通孔部を有し、この貫通孔部に、前記レンズ支持筒部の外周面における雄ネジ部に当接する滑り部材，この滑り部材を前記レンズ支持筒部の内方向に付勢する圧縮弾性部材，及び前記貫通孔部に固定して前記圧縮弾性部材の外端を規制する閉塞部材を収容したガタ防止機構部を設けてなることを特徴とするレンズ装置の調整機構。
【請求項２】
前記貫通孔部は、前記調整用リング部の内周面における前記雌ネジ部の谷部に開口させることを特徴とする請求項１記載のレンズ装置の調整機構。
【請求項３】
前記滑り部材は、金属素材により形成した球体を用いることを特徴とする請求項１又は２記載のレンズ装置の調整機構。
【請求項４】
前記球体と前記圧縮弾性部材の内端間には、前記球体が点接触可能なセパレータ部材を介在させることを特徴とする請求項３記載のレンズ装置の調整機構。
【請求項５】
前記圧縮弾性部材は、圧縮スプリングを用いることを特徴とする請求項１又は４記載のレンズ装置の調整機構。
【請求項６】
前記閉塞部材は、前記貫通孔部の少なくとも一部に形成したネジ孔部に螺着するネジ体であることを特徴とする請求項１記載のレンズ装置の調整機構。
【請求項７】
前記調整用リング部は、少なくとも二以上のリングメンバを用いた積層構造により構成し、前記貫通孔部の外端を、最外層を構成する外側リングメンバよりも内方に位置する内側リングメンバの外周面に開口させ、この内側リングメンバよりも外方に位置するリングメンバにより前記貫通孔部の外端を覆う構成を備えることを特徴とする請求項１記載のレンズ装置の調整機構。
【請求項８】
前記調整機構は、フォーカス調整を行うフォーカス調整機構であることを特徴とする請求項１記載のレンズ装置の調整機構。
【請求項９】
前記ガタ防止機構部は、カメラボディに対して所定のマウントを介して着脱する交換レンズに適用することを特徴とする請求項１記載のレンズ装置の調整機構。
【発明の詳細な説明】
【技術分野】
【０００１】
本発明は、調整用リング部とレンズ支持筒部間にヘリコイドネジ機構部を介在させたレンズ装置の調整機構に関する。
【背景技術】
【０００２】
一般に、カメラのレンズ装置において、フォーカスリング等の操作フィーリングを高めることは、フィーリング性の向上のみならず、正確で迅速なフォーカス調整等を確保する上で重要である。ところで、このようなレンズ装置に備える調整機構は、調整用リング部の回動操作変位をレンズの光軸進退変位に変換する必要があるため、通常、ヘリコイドネジ機構部を用いた運動変換手段を内蔵する。この場合、ネジ噛合するヘリコイドネジ機構部は、少なからずガタつきが発生するため、このガタつきを防止するガタ防止機構部を備えた調整機構も提案されている。
【０００３】
従来、この種の調整機構を備えたレンズ装置としては、本出願人が既に提案した特許文献１により開示されるマニュアル操作レンズが知られている。このマニュアル操作レンズは、ガタつきを解消すると同時に、本来、マニュアル操作に要求される良好な操作フィーリング及び高い操作精度を確保するとともに、ガタ防止機構部に係わる構成全体のサイズダウン及びコストダウンを図ることを目的としたものであり、具体的には、規制ガイド機構部を、固定側枠体又は可動側枠体の一方に設けた光軸方向のガイドチャンネル部と他方に設けたガイドチャンネル部により構成してなるレンズであって、被ガイド部を、所定の弾性を有する素材によりＵ形に形成するとともに、ガイドチャンネル部の内壁に、当該ガイドチャンネル部の長手方向に所定の幅寸法で接触する当接部を形成したものである。
【先行技術文献】
【特許文献】
【０００４】
【特許文献１】特開２０１４−８９２２２号公報
【発明の概要】
【発明が解決しようとする課題】
【０００５】
しかし、上述した従来のレンズ装置（マニュアル操作レンズ）に備える調整機構は、次のような解決すべき課題も存在した。
【０００６】
第一に、調整用リング部を回動操作する際における周方向のガタつきは有効に解消されるため、操作フィーリングを確保したり正確で迅速なフォーカス調整を行う観点からはその目的を達成し得るが、チルト方向のガタつきに対しては必ずしも有効に解消されるとは言えない。特に、交換レンズの場合、様々な種類が存在し、サイズ的に大型の交換レンズも少なくない。交換レンズが大型化した場合、レンズの重さも大きくなるため、チルト方向の変位も大きくなる。したがって、この場合には、チルト方向に変位した状態、即ち、非平行状態での移動によりフォーカス調整が行われ、結果的に、フォーカス調整の精度を確保できなくなる虞れがあった。
【０００７】
第二に、ガタ防止機構部の構成が煩雑化する傾向があるとともに、複雑な形状を有する部品が必要になる。しかも、部品や加工工程での高い精度が要求されるため、これらに基づくコストアップが無視できない。また、配設スペースを確保する必要があるため、レンズ全体の大型化を招きやすいとともに、既存のレンズ装置に、配設スペースを確保できない場合には、後付的に追加できないなど、汎用性を高める観点からも更なる改善の余地があった。
【０００８】
本発明は、このような背景技術に存在する課題を解決したレンズ装置の調整機構の提供を目的とするものである。
【課題を解決するための手段】
【０００９】
本発明に係るレンズ装置Ｍの調整機構１は、上述した課題を解決するため、レンズ鏡筒２の固定筒３に支持され、かつ周方向Ｆｆへ回動変位可能な調整用リング部４と、周方向Ｆｆへの回動変位が規制され、かつ光軸方向Ｆｓへ進退変位可能なレンズＬ…を支持するレンズ支持筒部５と、調整用リング部４の内周面に形成した雌ネジ部６ｗ，及びレンズ支持筒部５の外周面に形成し、かつ雌ネジ部６ｗに螺合する雄ネジ部６ｍからなるヘリコイドネジ機構部６とを少なくとも有してなる調整機構であって、調整用リング部４に、この調整用リング部４の内周面における雌ネジ部６ｗに内端が開口し、かつ調整用リング部４の径方向Ｆｄに沿って形成した貫通孔部７を有し、この貫通孔部７に、レンズ支持筒部５の外周面における雄ネジ部６ｍに当接する滑り部材８，この滑り部材８をレンズ支持筒部５の内方向に付勢する圧縮弾性部材９，及び貫通孔部７に固定して圧縮弾性部材９の外端を規制する閉塞部材１０を収容したガタ防止機構部Ｐを設けてなることを特徴とする。
【００１０】
この場合、発明の好適な態様により、貫通孔部７は、調整用リング部４の内周面における雌ネジ部６ｗの谷部６ｗｖに開口させることができるとともに、滑り部材８は、金属素材により形成した球体８ｒを用いることができ、特に、球体８ｒと圧縮弾性部材９の内端間には、球体８ｒが点接触可能なセパレータ部材１１を介在させることが望ましい。また、圧縮弾性部材９には、圧縮スプリング９ｓを用いることができるとともに、閉塞部材１０には、貫通孔部７の少なくとも一部に形成したネジ孔部７ｎに螺着するネジ体１０ｎ（１０ｎｅ）を用いることができる。一方、調整用リング部４は、少なくとも二以上のリングメンバ４ａ，４ｂを用いた積層構造により構成し、貫通孔部７の外端を、最外層を構成する外側リングメンバ４ａよりも内方に位置する内側リングメンバ４ｂの外周面に開口させ、この内側リングメンバ４ｂよりも外方に位置するリングメンバ４ａにより貫通孔部７の外端を覆う構成を設けることができる。他方、調整機構１には、フォーカス調整を行うフォーカス調整機構１ｆを適用できるとともに、ガタ防止機構部Ｐは、カメラボディに対して所定のマウントを介して着脱する交換レンズＭｃに適用できる。
【発明の効果】
【００１１】
このような構成を有する本発明に係るレンズ装置Ｍの調整機構１によれば、次のような顕著な効果を奏する。
【００１２】
（１）  ガタつきの原因となるヘリコイドネジ機構部６における雄ネジ部６ｍ側を、雌ネジ部６ｗ側に対して、弾性圧力により押え付けるため、特に、チルト方向のガタつきを排除又は低減することができる。この結果、レンズＬ…を支持するレンズ支持筒部５を、光軸方向Ｆｓへ平行移動させることが可能になり、光学上のコントロールを高精度に行うことができる。したがって、レンズＬ…の重量が大きくなり、チルト方向の変位が大きくなる大型のレンズ装置Ｍに用いて最適となる。
【００１３】
（２）  ガタ防止機構部Ｐの構成の単純化、即ち、単純形状の汎用部品を利用できるとともに、単純な加工工程により容易に実施できるため、大幅なコストダウンを図ることができる。しかも、別途の配設スペースを確保する必要がないため、レンズ装置Ｍ全体が大型化する不具合を回避できるとともに、既存の交換レンズＭｃ（レンズ装置Ｍ）にも後付的に適用できるなど、汎用性に優れる。
【００１４】
（３）  好適な態様により、貫通孔部７の内端を、調整用リング部４の内周面における雌ネジ部６ｗの谷部６ｗｖに開口させれば、付勢された滑り部材８を、雄ネジ部６ｍにおける山部上端の平坦湾曲面に圧接させることができるため、円滑かつ安定な動作を確保できる。
【００１５】
（４）  好適な態様により、滑り部材８として、金属素材により形成した球体８ｒを用いれば、球体８ｒの転動作用により、加圧による所定の圧接力を維持しつつ摩擦の少ない滑らかな動作を確保できる。
【００１６】
（５）  好適な態様により、球体８ｒと圧縮弾性部材９の内端間に、球体８ｒが点接触可能なセパレータ部材１１を介在させれば、球体８ｒの転動作用をより高めることができるため、摩擦の少ない滑らかな動きを確保できるなど最適な形態として実施できる。
【００１７】
（６）  好適な態様により、圧縮弾性部材９として、圧縮弾性スプリング９ｓを用いれば、汎用部材により構成できるとともに、必要な弾性圧力を容易に得れるため、コストパフォーマンスの観点から最適な形態として実施できる。
【００１８】
（７）  好適な態様により、閉塞部材１０として、貫通孔部７の少なくとも一部に形成したネジ孔部７ｎに螺着するネジ体１０ｎを用いれば、ネジ孔部７ｎに対して、ネジ体１０ｎを螺着するのみで固定できるため、容易かつ確実に固定することができる。しかも、必要により螺着位置を変更可能となり、圧縮弾性部材９の弾性圧力、即ち、雄ネジ部６ｍ側を、雌ネジ部６ｗ側に対して押え付ける力を任意の大きさに調整することができる。この結果、ヘリコイドネジ機構部６におけるガタ防止作用及び操作フィーリング作用に係わる最適化を図ることができる。
【００１９】
（８）  好適な態様により、調整用リング部４を、少なくとも二以上のリングメンバ４ａ，４ｂを用いた積層構造により構成し、貫通孔部７の外端を、最外層を構成する外側リングメンバ４ａよりも内方に位置する内側リングメンバ４ｂの外周面に開口させ、この内側リングメンバ４ｂよりも外方に位置するリングメンバ４ａにより貫通孔部７の外端を覆うように構成すれば、ガタ防止機構部Ｐを外観的に遮蔽できるため、ガタ防止機構部Ｐを付加した場合であっても、外観性が損なわれる不具合を回避できる。
【００２０】
（９）  好適な態様により、調整機構１に、フォーカス調整を行うフォーカス調整機構１ｆを適用すれば、ヘリコイドネジ機構部６のガタつきの悪影響が最も大きく出やすいフォーカス調整機構１ｆの改善を図ることができるため、レンズ装置Ｍにおけるフォーカス調整の高精度化及び高品質化を図ることができる。
【００２１】
（１０）  好適な態様により、ガタ防止機構部Ｐを、カメラボディに対して所定のマウントを介して着脱する交換レンズ１ｃに適用すれば、特に、大型のレンズ装置Ｍが含まれる交換レンズＭｃに適用できるため、本発明に係るレンズ装置Ｍの調整機構１における用途の観点から最適な用途となる。
【図面の簡単な説明】
【００２２】
【図１】本発明の好適実施形態に係るレンズ装置の調整機構におけるガタ防止機構部の断面構成図（図３中、円Ａ部の抽出拡大断面図）、
【図２】同調整機構におけるガタ防止機構部の平面図、
【図３】同調整機構を実線で示し、かつレンズ装置の全体を仮想線で示した側面断面図、
【図４】同調整機構に備えるガタ防止機構部を分解した部品の側面図、
【図５】同調整機構に備えるガタ防止機構部の各種変更例を示す断面構成図、
【発明を実施するための形態】
【００２３】
次に、本発明に係る好適実施形態を挙げ、図面に基づき詳細に説明する。
【００２４】
まず、本実施形態に係る調整機構１を備えるレンズ装置Ｍ全体の概略構成について、図３を参照して説明する。
【００２５】
図３に例示するレンズ装置Ｍは、交換レンズＭｃであり、図示を省略したカメラボディに対して装着又は離脱することができる。通常、カメラには標準レンズが付属するが、交換レンズＭｃには、広角レンズや望遠レンズ等の様々な種類が含まれるとともに、大きさも大型レンズから小型レンズまで様々である。本実施形態に係る調整機構１は、特に、大型のレンズ装置Ｍに用いてその効果が大きいため、交換レンズＭｃへの適用は、用途の観点から最適となる。
【００２６】
図３は、調整機構１を除いてレンズ装置Ｍの全体を仮想線で示す。このレンズ装置Ｍは、固定筒３を含むレンズ鏡筒２を備え、このレンズ鏡筒２の後端部に、上述したカメラボディにおける所定のマウントに対して着脱するマウント装着部３ｍを備える。また、レンズ鏡筒２の内部には、複数のレンズＬｏ…を配し、各レンズＬｏ…はレンズ保持枠Ｈ…により保持されている。
【００２７】
一方、図３において、実線部分は、本実施形態に係る調整機構１であり、より具体的には、フォーカス調整を行うフォーカス調整機構１ｆを示す。このように、本実施形態に係る調整機構１として、特に、フォーカス調整機構１ｆを適用すれば、ヘリコイドネジ機構部６のガタつきの悪影響が最も大きく出やすいフォーカス調整機構１ｆの改善を図ることができるため、レンズ装置Ｍにおけるフォーカス調整の高精度化及び高品質化を図れる利点がある。
【００２８】
次に、本実施形態に係るフォーカス調整機構１ｆ（調整機構１）の基本構成について、図３を参照して説明する。
【００２９】
４ｆは、調整用リング部４となるフォーカスリング部であり、レンズ鏡筒２の固定筒３により、周方向Ｆｆへ回動変位可能に支持される。この場合、フォーカスリング部４ｆは、固定筒３に形成した段差部等により、周方向Ｆｆへ回動変位可能に支持されるも、光軸方向Ｆｓへの変位は規制される。また、例示のフォーカスリング部４ｆは、二つのリングメンバ４ａ，４ｂを用いて積層構造に構成する。具体的には、合成樹脂素材によりそれぞれ一体形成したアウタリング部４ａとインナリング部４ｂを備え、アウタリング部４ａを外側に配し、インナリング部４ｂを内側に配して構成する。なお、４ａｒはアウタリング部４ａの外周面に装着した滑止用のゴム製カバーリング部を示す。
【００３０】
他方、５は、合成樹脂素材により形成したレンズ支持筒部であり、レンズＬ…の組合わせにより構成するフォーカス調整用のレンズ群Ｌｍを支持する。例示の場合、レンズ群Ｌｍには、複合レンズＬ…を含む６枚のレンズＬ…を備える。また、レンズ支持筒部５の外周部には、周方向の所定位置に等間隔置きに配したスライダ２５…を固定する。このスライダ２５…は、金属素材によりＬ形に折曲形成する。これにより、各スライダ２５…は、固定筒３に形成したガイドスリット２６…に係合し、光軸方向Ｆｓへ進退変位自在に支持される。したがって、レンズ支持筒部５は、周方向Ｆｆへの回動変位が規制され、かつ光軸方向Ｆｓへ進退変位可能となる。
【００３１】
さらに、各スライダ２５…により支持筒リング部２７の内周面を支持する。この場合、各スライダ２５…をＬ形に折曲し、放射方向に突出した取付部２５ｃ…を、支持筒リング部２７の端面にネジ止めする。これにより、各スライダ２５…と支持筒リング部２７は一体に固定される。
【００３２】
この支持筒リング部２７は、レンズ支持筒部５の一部となり、この支持筒リング部２７の外周面には、図１に示すヘリコイドネジ機構部６を構成する雄ネジ部６ｍを形成する。一方、上述したフォーカスリング部４ｆにおけるインナリング部４ｂの内周面には、図１に示すヘリコイドネジ機構部６を構成する雌ネジ部６ｗを形成する。これにより、雌ネジ部６ｗと雄ネジ部６ｍが噛合（螺合）するヘリコイドネジ機構部６が構成される。
【００３３】
次に、本実施形態に係るフォーカス調整機構１ｆの要部を構成するガタ防止機構部Ｐについて、図１〜図４を参照して具体的に説明する。
【００３４】
このガタ防止機構部Ｐは、図３に、円Ａ部で示すように、フォーカスリング部４ｆに設ける。この円Ａ部を抽出拡大した構成を図１に示す。
【００３５】
図１に示すように、ガタ防止機構部Ｐは、フォーカスリング部４ｆに形成した貫通孔部７を備える。具体的には、フォーカスリング部４ｆを構成するインナリング部４ｂの周面部における所定位置に、インナリング部４ｂの径方向Ｆｄに沿って貫通形成する。この場合、貫通孔部７の内端は、図４に示すように、インナリング部４ｂの内周面に形成した雌ネジ部６ｗ、特に、雌ネジ部６ｗにおける谷部６ｗｖに開口させる。このように、雌ネジ部６ｗの谷部６ｗｖに開口させれば、後述する付勢された滑り部材８（球体８ｒ）を、雄ネジ部６ｍにおける山部上端の平坦湾曲面６ｍｔに圧接させることができるため、円滑かつ安定な動作を確保できる。
【００３６】
また、貫通孔部７の外端は、図４に示すように、インナリング部４ｂの外周面に開口させ、この開口縁には、外広がりのテーパ面７ｔを形成する。これにより、後述する図４（ａ）に示すネジ体１０ｎの頭部１０ｎｈを嵌合させることができる。したがって、ネジ体１０ｎの頭部１０ｎｈはインナリング部４ｂの外周面から突出しないように考慮する。なお、テーパ面７ｔを設けるか否かは任意である。例えば、図４（ｂ）に、変更例として示す頭部を有しないネジ体１０ｎｅを用いた場合には不要である。このため、貫通孔部７の一部、具体的には、貫通孔部７の外端寄りの内周面には、ネジ体１０ｎが螺着するネジ孔部７ｎを形成する。
【００３７】
そして、この貫通孔部７の内部に、図１に示すように、内端側から、滑り部材８，セパレータ部材１１，圧縮弾性部材９を収容し、閉塞部材１０により貫通孔部７の外端を閉塞する。
【００３８】
この場合、滑り部材８は、レンズ支持筒部５（支持筒リング部２７）の外周面に形成した雄ネジ部６ｍに当接する機能を備える。図４に示すように、例示の滑り部材８には、金属素材により形成した球体８ｒを用いた。この球体８ｒの外径は、貫通孔部７の内径よりも稍小さく選定する。したがって、この球体８ｒの下端が雄ネジ部６ｍにおける山部上端の平坦湾曲面６ｍｔに圧接する。このような球体８ｒを用いれば、球体８ｒの転動作用により、加圧による所定の圧接力を維持しつつ摩擦の少ない滑らかな動作を確保できる。
【００３９】
セパレータ部材１１は、図４に示すように、金属素材により一体に形成する。セパレータ部材１１は、下端面を平坦に形成した円盤部１１ｐを備えるとともに、この円盤部１１ｐの上面に、円柱状に形成した小径の係合部１０ｓを備える。これにより、球体８ｒは、セパレータ部材１１（円盤部１１ｐ）の下端面に点接触するとともに、係合部１０ｓは、後述する圧縮弾性部材９（圧縮スプリング９ｓ）の内端に挿入する。このようなセパレータ部材１１を用いれば、球体８ｒの転動作用をより高めることができるため、摩擦の少ない滑らかな動きを確保できるなど最適な形態として実施できる利点がある。
【００４０】
圧縮弾性部材９は、球体８ｒをレンズ支持筒部５の内方向（中心方向）に付勢する機能を備える。例示の圧縮弾性部材９には、コイルスプリングによる圧縮スプリング９ｓを用いた。この圧縮スプリング９ｓは、球体８ｒを雄ネジ部６ｍに対して所定の弾性圧力により押え付ける機能を有するため、ヘリコイドネジ機構部６におけるガタ防止及び操作フィーリングの双方においてバランスのとれた作用が生じるように、その弾性圧力を選定する。圧縮弾性部材９として、このような圧縮スプリング９ｓを用いれば、汎用部材により構成できるとともに、必要な弾性圧力を容易に得れるため、コストパフォーマンスの観点から最適な形態として実施できる。
【００４１】
閉塞部材１０は、貫通孔部７に固定することにより圧縮スプリング９ｓの外端を規制する機能を備える。この閉塞部材１０には、前述したように、図４（ａ）に示す頭部１０ｎｈを有するネジ体１０ｎを用いてもよいし、図４（ｂ）に示す頭部の無いネジ体１０ｎｅを用いてもよい。いずれの場合も、前述した貫通孔部７に形成したネジ孔部７ｎに螺着することにより固定できる。なお、ネジ体１０ｎ（１０ｎｅ）の下端には、円柱状に形成した小径の係合部１０ｓを一体に形成し、圧縮スプリング９ｓの外端に挿入する。
【００４２】
このように、閉塞部材１０として、図４（ａ），（ｂ）に示すネジ体１０ｎを用いれば、ネジ孔部７ｎに対して、ネジ体１０ｎを螺着するのみで固定できるため、容易かつ確実に固定することができる。特に、図４（ｂ）に示すネジ体１０ｎｅを用いれば、必要により螺着位置を変更できるため、圧縮弾性部材９の弾性圧力、即ち、雄ネジ部６ｍ側を、雌ネジ部６ｗ側に対して押え付ける力を任意の大きさに調整可能となり、ヘリコイドネジ機構部６におけるガタ防止作用及び操作フィーリング作用に係わる最適化を図ることができる利点がある。
【００４３】
次に、ガタ防止機構部Ｐを含む本実施形態に係るフォーカス調整機構１ｆ、特に、要部の組立方法について説明する。
【００４４】
まず、レンズ支持筒部５に対してインナリング部４ｂの組付けを行う。図４に示すレンズ支持筒部５とインナリング部４ｂが組付後の状態となる。そして、図４に示す貫通孔部７の内部に、外側（図中、上側）から球体８ｒを投入する。次いで、セパレータ部材１１を収容し、さらに、圧縮スプリング９ｓを収容する。これらの収容が終了したなら、ネジ体１０ｎ（又はネジ体１０ｎｅ）をネジ孔部７ｎに螺着して固定する。これにより、ガタ防止機構部Ｐの組付けは終了する。
【００４５】
ガタ防止機構部Ｐの組付けが終了したなら、インナリング部４ｂに対して、ゴム製カバーリング部４ａｒを装着したアウタリング部４ａの組付けを行う。インナリング部４ｂとアウタリング部４ａを組付けた状態が図１となり、これにより、フォーカスリング部４ｆの組付けが終了する。
【００４６】
この場合、アウタリング部４ａの光軸方向Ｆｓにおける後端位置（図３中、右端位置）は、インナリング部４ｂの光軸方向Ｆｓにおける後端位置にほぼ一致，又は図３に示すように、この後端位置よりも後方に位置するように選定する。これにより、貫通孔部７の外端は、インナリング部４ｂよりも外方に位置するアウタリング部４ａにより覆われ、ガタ防止機構部Ｐは外観的に遮蔽される。したがって、ガタ防止機構部Ｐを付加した場合であっても、外観性が損なわれる不具合は回避される。
【００４７】
よって、このような本実施形態に係るフォーカス調整機構１ｆによれば、基本構成として、フォーカスリング部４ｆに、このフォーカスリング部４ｆの内周面における雌ネジ部６ｗに内端が開口し、かつフォーカスリング部４ｆの径方向Ｆｄに沿って形成した貫通孔部７を有し、この貫通孔部７に、レンズ支持筒部５の外周面における雄ネジ部６ｍに当接する滑り部材８，この滑り部材８をレンズ支持筒部５の内方向に付勢する圧縮スプリング９ｓ，及び貫通孔部７に固定して圧縮スプリング９ｓの外端を規制する閉塞部材１０を収容したガタ防止機構部Ｐを設けてなるため、ガタ防止機構部Ｐの構成の単純化、即ち、単純形状の汎用部品を利用できるとともに、単純な加工工程により容易に実施でき、大幅なコストダウンを図ることができる。しかも、別途の配設スペースを確保する必要がないため、レンズ装置Ｍ全体が大型化する不具合を回避できるとともに、既存の交換レンズＭｃ（レンズ装置Ｍ）にも後付的に適用できるなど、汎用性に優れる。
【００４８】
次に、ガタ防止機構部Ｐを含む本実施形態に係るフォーカス調整機構１ｆの機能及び作用について説明する。
【００４９】
フォーカス調整機構１ｆは、使用者がマニュアル操作、即ち、フォーカスリング部４ｆを手で回動操作すれば、一体に備える雌ネジ部６ｗも同時に周方向Ｆｆへ回動変位する。この際、雌ネジ部６ｗに螺合する雄ネジ部６ｍは、レンズ支持筒部５に一体に有するとともに、このレンズ支持筒部５は、周方向Ｆｆへの回動変位が規制され、かつ光軸方向Ｆｓへの進退変位が許容されているため、フォーカスリング部４ｆの回動変位量に対応した光軸方向Ｆｓへの進退変位量に運動変換され、最近接位置から無限遠位置までのいわばピント調整を行うことができる。
【００５０】
この際、ガタつきの原因となるヘリコイドネジ機構部６における雄ネジ部６ｍ側は、雌ネジ部６ｗ側に対して、ガタ防止機構部Ｐからの弾性圧力により押え付けられているため、レンズＬ…を支持するレンズ支持筒部５を光軸方向Ｆｓへ平行移動（変位）する。これにより、光学上のコントロールを高精度に行うことが可能となる。したがって、本実施形態に係るフォーカス調整機構１ｆは、レンズＬ…の重量が大きくなり、チルト方向の変位が大きくなる大型のレンズ装置Ｍに用いて最適となる。
【００５１】
なお、図５（ａ）〜（ｃ）には、本実施形態に係る調整機構１に備えるガタ防止機構部Ｐの変更例を示す。
【００５２】
図５（ａ）に示す変更例は、ガタ防止機構部Ｐにおけるセパレータ部材１１を使用しない例を示す。したがって、この点を除き、図１に示したガタ防止機構部Ｐと同じに構成となる。この変更例では、球体８ｒが圧縮スプリング９ｓの内端に直接接触するため、セパレータ部材１１を介在させる場合と異なり、球体８ｒとの点接触が保証されない。しかし、線接触は可能になり、摩擦の少ない滑らかな動作を確保する観点からは、図１のガタ防止機構部Ｐより劣るものの実用的観点からの使用可能性は確保される。
【００５３】
図５（ｂ）に示す変更例は、図１に示したガタ防止機構部Ｐにおける円盤状のセパレータ部材１１の代わりに球体を用いた例を示す。したがって、構成的には、図１に示したガタ防止機構部Ｐのセパレータ部材１１を除き、代わりに球体８ｒを収容した構成、即ち、球体８ｒ…を二個収容した構成となる。この変更例は、図１に示したガタ防止機構部Ｐに比べ、貫通孔部７の内部における占有体積が大きくなるが、摩擦の少ない滑らかな動作を確保する観点からは、図５（ａ）に示したガタ防止機構部Ｐよりも優れる。
【００５４】
図５（ｃ）に示す変更例は、図１に示したガタ防止機構部Ｐを、光軸方向Ｆｓにおける異なる二個所の位置に配した例を示す。このように、ガタ防止機構部Ｐ…の配設する数量は任意であり、図１に示すような一個所であってもよいし、図５（ｃ）に示す二個所であってもよい。更に、図示を省略した三個所以上であってもよい。ガタ防止機構部Ｐ…の数量を二個所以上に選定すれば、ヘリコイドネジ機構部６における雄ネジ部６ｍと雌ネジ部６ｗの平行移動性を高めることができ、よりガタつき防止作用を高めることができる。
【００５５】
なお、図５（ａ）〜（ｃ）において、図１と同一部分については同一符号を付し、その構成を明確にするとともに、その詳細な説明を省略する。
【００５６】
以上、変更例を含む好適実施形態について詳細に説明したが、本発明は、このような実施形態に限定されるものではなく、細部の構成，形状，素材，数量，手法等において、本発明の要旨を逸脱しない範囲で、任意に変更，追加，削除することができる。
【００５７】
例えば、フォーカス調整機構１ｆは、マニュアル操作方式を例示したが、オートフォーカス方式、更には、これら両方式を切換える方式であってもよい。また、調整機構１として、フォーカス調整機構１ｆを例示したが、ズーミング調整機構など、ヘリコイドネジ機構部６を利用する各種調整機構１に適用できる。一方、貫通孔部７は、調整用リング部４の内周面における雌ネジ部６ｗの谷部６ｗｖに開口させた場合を示したが、雌ネジ部６ｗの山部に開口させる場合を排除するものではない。さらに、滑り部材８として、金属素材により形成した球体８ｒを例示したが、その他、低摩擦係数かつ高耐摩耗性等を有する素材により形成した当接性の滑り部材８を排除するものではない。また、圧縮弾性部材９として、圧縮スプリング９ｓを用いた例を示したが、その他、圧縮ゴム部材や圧縮板バネ等の同様の機能を有する各種圧縮弾性部材９により置換可能である。同様に、閉塞部材１０も、ネジ体１０ｎの代わりに、閉塞機能を有する他の閉塞部材１０により置換可能である。なお、レンズ装置Ｍとして、交換レンズＭｃを例示したが、カメラボディに一体のレンズ装置であってもよい。この場合、カメラボディとしては、デジタルカメラをはじめ、フィルムタイプカメラやビデオカメラ等の各種カメラボディに適用できる。なお、デジタルカメラは、一眼レフタイプであってもよいし、ファインダータイプであってもよい。さらに、プロジェクタに使用するレンズ装置Ｍなど、各種光学機器のレンズ装置Ｍに適用可能である。
【産業上の利用可能性】
【００５８】
本発明に係るレンズ装置Ｍの調整機構１は、標準レンズ，望遠レンズ，マクロレンズ等の各種レンズ装置に備える調整機構に利用（適用）できる。
【符号の説明】
【００５９】
１：調整機構，１ｆ：フォーカス調整機構，２：レンズ鏡筒，３：固定筒，４：調整用リング部，４ａ：リングメンバ（外側リングメンバ），４ｂ：リングメンバ（内側リングメンバ），５：レンズ支持筒部，６：ヘリコイドネジ機構部，６ｗ：雌ネジ部，６ｍ：雄ネジ部，６ｗｖ：雌ネジ部の谷部，７：貫通孔部，７ｎ：貫通孔部のネジ孔部，８：滑り部材，８ｒ：球体，９：圧縮弾性部材，９ｓ：圧縮スプリング，１０：閉塞部材，１０ｎ（１０ｎｅ）：ネジ体，１１：セパレータ部材，Ｍ：レンズ装置，Ｍｃ：交換レンズ，Ｐ：ガタ防止機構部，Ｆｆ：周方向，Ｆｓ：光軸方向，Ｆｄ：径方向，Ｌ…：レンズ
【図１】
2019128471.tif 000003
【図２】
2019128471.tif 000004
【図３】
2019128471.tif 000005
【図４】
2019128471.tif 000006
【図５】
2019128471.tif 000007